(57)【要約】【課題】印刷後の媒体がエプロン部に貼り付くことがなく、かつ、媒体上に印刷された印刷結果に縞を生じさせないインクジェットプリンタを提供する。【解決手段】副走査方向に搬送される媒体に対して、副走査方向と直交する主走査方向に移動して溶剤インクを吐出するインクヘッドにより印刷を行うインクジェットプリンタにおいて、上記インクヘッドの下面と対向して主走査方向に延長して配設されたプラテンと、表面が平滑に形成された平滑部と表面に波形状が形成された波形状部とが副走査方向に並んで配設された断面略円弧形状のエプロン部と、上記エプロン部において上記平滑部の裏面側に配設され、上記平滑部を加熱するヒーターとを有し、上記エプロン部は、上記平滑部が上記プラテンと隣接するようにして、上記プラテンにおける副走査方向の上記媒体が排出される側に配設するようにした。【選択図】        図２
2014104604.tif 000002
【特許請求の範囲】
【請求項１】
副走査方向に搬送される媒体に対して、副走査方向と直交する主走査方向に移動して溶剤インクを吐出するインクヘッドにより印刷を行うインクジェットプリンタにおいて、
前記インクヘッドの下面と対向して主走査方向に延長して配設されたプラテンと、
表面が平滑に形成された平滑部と表面に波形状が形成された波形状部とが副走査方向に並んで配設された断面略円弧形状のエプロン部と、
前記エプロン部において前記平滑部の裏面側に配設され、前記平滑部を加熱するヒーターと
を有し、
前記エプロン部は、前記平滑部が前記プラテンと隣接するようにして、前記プラテンにおける副走査方向の前記媒体が排出される側に配設する
ことを特徴とするインクジェットプリンタ。
【発明の詳細な説明】
【技術分野】
【０００１】
本発明は、インクジェットプリンタに関し、さらに詳細には、有機溶剤系の溶媒を使用したインク（以下、「有機溶剤系の溶媒を使用したインク」を、「溶剤インク」と称することとする。）を用いて印刷を行うインクジェットプリンタに関する。
【０００２】
なお、本明細書において「媒体」とは、普通紙などの紙類よりなる各種の記録媒体は勿論のこと、ＰＶＣ、ポリエステルなどの樹脂材料などの各種材料が含まれるものとする。
【０００３】
また、本明細書において「インクジェット方式」とは、二値偏向方式あるいは連続偏向方式などの各種の連続方式や、サーマル方式あるいは圧電素子方式などの各種のオンデマンド方式を含む、従来より公知の各種の手法によるインクジェット技術による印刷方法を意味するものとする。
【背景技術】
【０００４】
従来より、マイクロコンピューターによって全体の動作を制御され、被印刷物たる記録紙などの媒体の搬送方向と直交する方向に移動するインクヘッドから溶剤インクを吐出することにより、当該媒体上に所望の印刷を行うインクジェットプリンタが知られている。
【０００５】
なお、以下の説明においては、「媒体の搬送方向」を「副走査方向」と適宜に称するとともに、「媒体の搬送方向と直交する方向」、つまり、「副走査方向と直交する方向」を「主走査方向」と適宜に称することとする。
【０００６】
こうしたインクジェットプリンタにおいては、主走査方向に延設されたプラテン上に、駆動ロールとピンチロールとにより構成される搬送機構が所定の間隔を開けて直線上に複数配設されている。
【０００７】
搬送機構を構成する駆動ロールは、それぞれ駆動モーターにより回転するようになされており、また、ピンチロールは、常時駆動ロールと接触するようになされており、駆動ロールとピンチロールとに挟持された媒体は、駆動ロールが回転することにより搬送方向に搬送されるようになされている。
【０００８】
また、プラテンにおいて、搬送機構により搬送される媒体の排出方向には、排出した媒体をガイドするエプロン部が形成されている。
【０００９】
こうしたエプロン部は、排出された媒体が当該エプロン部に貼り付かないようにするために、その表面全体が、主走査方向に延長した山部と谷部とが副走査方向に交互に繰り返し形成された波形形状となっていた。
【００１０】
しかしながら、こうした表面全体が波形形状に形成されたエプロン部では、塗布された溶剤インクが乾燥していない状態で媒体が波形形状の山部の頂部に到達すると、その頂部に位置した印刷領域ではインク膜厚が薄くなってしまい、媒体上に印刷された印刷結果に主走査方向に延長した縞が形成されてしまうことが問題点として指摘されていた。
【００１１】
なお、本願出願人が特許出願のときに知っている先行技術は、文献公知発明に係る発明ではないため、本願明細書に記載すべき先行技術文献情報はない。
【発明の概要】
【発明が解決しようとする課題】
【００１２】
本発明は、上記したような従来の技術の有する種々の問題点に鑑みてなされたものであり、その目的とするところは、印刷後の媒体がエプロン部に貼り付くことがなく、かつ、媒体上に印刷された印刷結果に縞を生じさせないインクジェットプリンタを提供しようとするものである。
【課題を解決するための手段】
【００１３】
上記目的を達成するために、本発明は、プラテンから排出される媒体をガイドするエプロン部において、ヒーターにより加熱され、表面が平滑に形成された平滑部と、表面が波形状に形成された波形状部とを設けるようにした。
【００１４】
そして、プラテンから排出される媒体は、平滑部を通過して吐出された溶剤インクが乾燥した後に、波形状部を通過することとなる。
【００１５】
このため、本発明によれば、波形状部の頂部においてインク膜厚が薄くなることがなくなり、媒体上に印刷された印刷結果に縞などの不具合が生じることがなくなる。
【００１６】
即ち、本発明は、副走査方向に搬送される媒体に対して、副走査方向と直交する主走査方向に移動して溶剤インクを吐出するインクヘッドにより印刷を行うインクジェットプリンタにおいて、上記インクヘッドの下面と対向して主走査方向に延長して配設されたプラテンと、表面が平滑に形成された平滑部と、表面に波形状が形成された波形状部とを備えた断面略円弧形状のエプロン部と、上記エプロン部において上記平滑部の裏面側に配設され、上記平滑部を加熱するヒーターとを有し、上記エプロン部は、上記平滑部が上記プラテンと隣接するようにして、上記プラテンにおける副走査方向の上記媒体が排出される側に配設されるようにしたものである。
【発明の効果】
【００１７】
本発明は、以上説明したように構成されているので、印刷後の媒体がエプロン部に貼り付くことがなく、かつ、媒体上に印刷された印刷結果に縞を生じさせることがないという優れた効果を奏するものである。
【図面の簡単な説明】
【００１８】
【図１】図１は、本発明によるインクジェットプリンタを示す概略構成斜視説明図である。
【図２】図２は、図１のＡ−Ａ線断面におけるベース部材を中心とした要部を模式的に示す説明図である。
【発明を実施するための形態】
【００１９】
以下、添付の図面を参照しながら、本発明によるインクジェットプリンタの実施の形態の一例を詳細に説明するものとする。
【００２０】
図１には、本発明によるインクジェットプリンタの概略構成斜視説明図が示されており、また、図２には、図１のＡ−Ａ線断面におけるベース部材を中心とした要部を模式的に示す説明図が示されている。
【００２１】
このインクジェットプリンタ１０は、基台部材１２に支持され、主走査方向に延長して配設された固定系のベース部材１４と、ベース部材１４の左右両端に配設された側方部材１６Ｌ、１６Ｒと、左右２つの側方部材１６Ｒを連結する中央壁１８と、中央壁の壁面に主走査方向に延長して配設されたガイドレール２０と、中央壁１８の壁面に平行して主走査方向に移動自在に配設されたワイヤー２２と、ワイヤーに固定的に配設されるとともにガイドレール２０に摺動自在に装着されたキャリッジ２４と、ベース部材１４上に位置する媒体たる記録紙２６と対向するようにしてキャリッジ２４に配設されたインクヘッド２８とを有して構成されている。
【００２２】
なお、こうしたインクジェットプリンタ１０の全体の動作は、側方部材１６Ｒ内に搭載されたマイクロコンピューター（図示せず。）によって制御されており、記録紙２６は、図１、２においては、副走査方向の後方側から前方側に搬送されるようになされている。
【００２３】
より詳細には、ベース部材１４は、インクヘッド２８の下方側において、インクヘッド２８の下面２８ａと対向して主走査方向に延設されたプラテン３０と、プラテン３０の記録紙２６を排出する側（図１、２では前方側である。）に設けられ、排出された記録紙２６をガイドするエプロン部３２とを有して構成されている。
【００２４】
プラテン３０には、駆動ロール（図示せず。）とピンチロール（図示せず。）とにより構成される搬送機構が複数設けられている。
【００２５】
即ち、この搬送機構においては、駆動ロール（図示せず。）は、それぞれ駆動モーター（図示せず。）により回転するようになされており、また、ピンチロール（図示せず。）は、常時駆動ロール（図示せず。）に接触するようになされており、こうした駆動ロールとピンチロールとに挟持された記録紙２６は、当該駆動ロールが回転することにより副走査方向に搬送される。
【００２６】
また、エプロン部３２は、断面略円弧形状となっており、平滑部３２ａと波形状部３２ｂとにより構成されている。
【００２７】
即ち、平滑部３２ａにおいては表面３２ａａが平滑であり、波形状部３２ｂにおいては表面３２ｂａが波形状となっている。
【００２８】
この平滑部３２ａは、裏面３２ａｂ側にヒーター３４が配設されており、このヒーター３４により平滑部３２ａ全体が加熱されることとなる。
【００２９】
また、波形状部３２ｂは、表面３２ｂａにおいて主走査方向に延長して山部３２−１と谷部３２−２とを、副走査方向に沿って交互に繰り返した形状となっている。
【００３０】
以上の構成において、インクジェットプリンタ１０におけるプラテン３０の上面３０ａで、印刷データに基づいて記録紙２６に対してインクヘッド３０から溶剤インクが吐出されて所定の印刷が行われた場合には、溶剤インクが塗布された記録紙２６は、まず、エプロン部３２の平滑部３２ａ上に搬送される。
【００３１】
このとき、平滑部３２ａは、裏面３２ｂａ側に設けられたヒーター３４により加熱されているため、記録紙２６に塗布された溶剤インクは、平滑部３２ａの熱により乾燥が促される。
【００３２】
そして、平滑部３２ａ上を通過した記録紙２６は、エプロン部３２に波形状部３２ｂ上に搬送される。
【００３３】
このとき、波形状部３２ｂの表面３２ｂａには、山部３２−１と谷部３２−２とが交互に繰り返し形成されているため、記録紙２６は表面３２ｂａに貼り付くことはない。
【００３４】
さらに、このとき、波形状部３２ｂ上を通過する記録紙２６においては、平滑部３２ａにおいて、塗布された溶剤インクの乾燥がなされているので、表面３２ｂａの山部３２−１の頂部において、溶剤インクの膜厚が薄くなることはない。
【００３５】
以上において説明したように、本発明によるインクジェットプリンタ１０は、ベース部材１４をプラテン３０とエプロン部３２とにより構成するようにし、エプロン部３２を、平滑部３２ａと波形状部３２ｂとにより構成するようにした。
【００３６】
さらに、この平滑部３２ａの裏面３２ａｂにおいてヒーター３４を設けるようにした。
【００３７】
これにより、本発明によるインクジェットプリンタ１０においては、溶剤インクが塗布された記録紙２６は、ヒーター３４により加熱された平滑部３２ａ上で溶剤インクの乾燥が促された後、波形状部３２ｂの表面３２ｂａに貼り付くことなく搬送される。
【００３８】
このため、本発明によるインクジェットプリンタ１０においては、記録紙２６に印刷された印刷結果に縞などの不具合が生じることがなくなる。
【産業上の利用可能性】
【００３９】
本発明は、有機溶剤系の溶媒を使用したインクにより印刷を行うインクジェットプリンタに用いて好適である。
【符号の説明】
【００４０】
１０  インクジェットプリンタ、３０  プラテン、３２  エプロン部、３２ａ  平滑部、３２ｂ  波形状部、３４  ヒーター
【図１】
2014104604.tif 000003
【図２】
2014104604.tif 000004